(57)【特許請求の範囲】
【請求項１】
入隅又は出隅に取り付けられている２枚の板状の壁面造作材の間隙を被覆するコーナー被覆具において、
前記間隙を被覆する被覆部と、
前記壁面造作材の小口面の間に挿入され、弾性復元力によって固定される弾性部と
を一体に備え、
前記被覆部は屈曲して形成されており、
前記弾性部は、一方の壁面造作材に接する板状の接触片と他方の壁面造作材に接する板状の接触片とを有するＶ字状をなしており、２個の前記接触片は何れも前記被覆部の屈曲部に直接的に突設してあることを特徴とするコーナー被覆具。
【請求項２】
入隅又は出隅に取り付けられている２枚の板状の壁面造作材の間隙をコーナー被覆具が被覆しているコーナー構造において、
前記壁面造作材の小口面同士は対面配置されており、
前記コーナー被覆具は、請求項１に記載のコーナー被覆具であることを特徴とするコーナー構造。
【発明の詳細な説明】
【技術分野】
【０００１】
本発明は、壁の隅角に取り付けられている２枚の板状の壁面造作材の間隙を被覆するコーナー被覆具、及びコーナー被覆具を備えるコーナー構造に関する。
【背景技術】
【０００２】
幅木（又は回り縁）は、壁の床（又は天井）近傍に接着、釘打ち等で固定されており、このため、壁の隅角には２枚の幅木（又は回り縁）が交差方向に配されている。壁の隅角に取り付けられている２枚の幅木（又は回り縁）の間隙を被覆するために、従来、種々のコーナー被覆具が提案されている（特許文献１〜３参照）。
【０００３】
特許文献１に開示されているコーナー被覆具は、横方向の両端部が、両面テープを用いた接着、釘打ち等によって、２枚の幅木（又は回り縁）に固定される。
このようなコーナー被覆具を釘打ちで取り付けた場合、釘の頭部が露出するため、美観が損なわれるという問題がある。また、両面テープを用いた接着で取り付けた場合、釘打ちに比べて取り付けの強度が弱いため、コーナー被覆具が脱落し易いという問題がある。
【０００４】
これらの問題を解決するために、特許文献２に開示されているコーナー被覆具には、横方向の両端部内側に嵌合突起が形成されている。このようなコーナー被覆具は、２枚の幅木（又は回り縁）夫々の壁側に形成されている嵌合凹部に嵌合突起を上方（又は下方）から嵌め入れることによって、２枚の幅木（又は回り縁）に固定される。
また、特許文献３に開示されているコーナー被覆具は、２枚の幅木又は回り縁の間隙を被覆する被覆用の部材と、この被覆部材の内側に形成されている取着部材とを有している。このようなコーナー被覆具は、取着部材の被挟持部が２枚の幅木（又は回り縁）と壁との間で挟持されることによって、２枚の幅木（又は回り縁）に固定される。
【０００５】
ところで、幅木（又は回り縁）は、一般に木材、木質部材等を用いて形成されており、温度、湿度等の変化に応じて横方向に伸縮することがある。
【先行技術文献】
【特許文献】
【０００６】
【特許文献１】実開平５−７８７９４号公報
【特許文献２】特許第３７５４７９７号公報
【特許文献３】実用新案登録第３１２７１４７号公報
【発明の概要】
【発明が解決しようとする課題】
【０００７】
特許文献１に開示されているように、両面テープを用いた接着によって、２枚の幅木（又は回り縁）に直接的にコーナー被覆具が固定されている場合、幅木（又は回り縁）の伸縮に応じてコーナー被覆具及び両面テープに不要な外力が加わる。このため、両面テープが剥がれてコーナー被覆具が脱落し易くなる。
一方、特許文献１，２に開示されているように、釘打ち、又は嵌合突起と嵌合凹部との嵌合によって、２枚の幅木（又は回り縁）に直接的にコーナー被覆具が固定されている場合は、幅木（又は回り縁）の伸縮に応じてコーナー被覆具に加わった不要な外力によって、コーナー被覆具が破損することがある。
【０００８】
また、特許文献２に開示されているコーナー被覆具を使用するためには、２枚の幅木（又は回り縁）に嵌合凹部を形成する必要があり、幅木（又は回り縁）の加工工程又はコーナー被覆具の取付工程が煩雑である。
更に、特許文献３に開示されているコーナー被覆具を使用するためには、２枚の幅木（又は回り縁）と壁との間に挟持される被挟持部の厚みを吸収するために、壁に凹部を形成する必要があり、コーナー被覆具の取付工程が煩雑である。
ところで、見切り材は、壁の縦方向中央部に固定されており、壁の隅角に取り付けられている２枚の見切り材の間隙を被覆するために、幅木又は回り縁の場合と同様に、コーナー被覆具を用いることが考えられる。
【０００９】
本発明は斯かる事情に鑑みてなされたものであり、その主たる目的は、壁固定部材を入隅又は出隅の壁に固定し、間隙被覆部材を壁固定部材に取り付けて、幅木、見切り材又は回り縁のような２枚の壁面造作材の間隙を被覆する構成とすることにより、壁面造作材及び壁を加工することなく容易に取り付けることができ、しかも壁面造作材の伸縮の悪影響を受けることがないコーナー被覆具及びコーナー構造を提供することにある。
【００１０】
本発明の他の目的は、壁固定部材及び間隙被覆部材の一方に形成されている突出部と、他方に形成されている縦長のスリットとが嵌合する構成とすることにより、縦方向の取付位置を容易に調整することができるコーナー被覆具を提供することにある。
【００１１】
本発明の他の目的は、壁固定部材が、壁の形状に沿う入隅用屈曲板状部及び三角柱部と釘打ち又はネジ留め用の入隅用縦長孔とを有することにより、更に容易に取り付けることができるコーナー被覆具を提供することにある。
【００１２】
本発明の他の目的は、壁固定部材が、壁の形状に沿う出隅用屈曲板状部と釘打ち又はネジ留め用の出隅用縦長孔とを有することにより、更に容易に取り付けることができるコーナー被覆具を提供することにある。
【００１３】
本発明の他の目的は、弾性部を、弾性復元力によって壁面造作材の小口面の間に挿入固定し、幅木、見切り材又は回り縁のような２枚の壁面造作材の間隙を被覆部で被覆する構成とすることにより、壁面造作材及び壁を加工することなく容易に取り付けることができ、しかも壁面造作材の伸縮の悪影響を受けることがないコーナー被覆具及びコーナー構造を提供することにある。
【００１４】
本発明の更に他の目的は、Ｖ字状の弾性部を備えることにより、弾性部を形成する材料を減少させることができるコーナー被覆具を提供することにある。
【課題を解決するための手段】
【００１５】
本発明に係るコーナー被覆具は、入隅又は出隅に取り付けられている２枚の板状の壁面造作材の間隙を被覆するコーナー被覆具において、前記間隙を被覆する被覆部と、前記壁面造作材の小口面の間に挿入され、弾性復元力によって固定される弾性部とを一体に備え、前記被覆部は屈曲して形成されており、前記弾性部は、一方の壁面造作材に接する板状の接触片と他方の壁面造作材に接する板状の接触片とを有するＶ字状をなしており、２個の前記接触片は何れも前記被覆部の屈曲部に直接的に突設してあることを特徴とする。
【００１７】
本発明に係るコーナー構造は、入隅又は出隅に取り付けられている２枚の板状の壁面造作材の間隙をコーナー被覆具が被覆しているコーナー構造において、前記壁面造作材の小口面同士は対面配置されており、前記コーナー被覆具は、本発明のコーナー被覆具であることを特徴とする。
【００１８】
本発明にあっては、被覆部と弾性部とを一体に備える。即ち、コーナー被覆具が１個の部材で構成されている。
入隅又は出隅に取り付けられている２枚の板状の壁面造作材（具体的には幅木、見切り材又は回り縁）にコーナー被覆具を取り付ける作業者は、この２枚の壁面造作材の小口面の間に弾性部を挿入し、この２枚の壁面造作材の間隙を被覆部で被覆する。このような取付作業は簡易である。しかも、コーナー被覆具の壁面造作材に対する両面テープによる接着、コーナー被覆具表面側からの釘打ち等が不要である。
【００１９】
弾性部は、弾性復元力によって、２枚の壁面造作材の小口面の間で挟持されるため、弾性部と一体の被覆部も２枚の壁面造作材に対して固定される。つまり、コーナー被覆部は、入隅又は出隅に取り付けられている２枚の壁面造作材に対して確実に取り付けられる。
たとえ壁面造作材が伸縮しても、壁面造作材に直接的に取り付けられていない被覆部は、壁面造作材の伸縮によって発生した外力の悪影響を受けて破損することがない。また、小口面の間で挟持されている弾性部は、この外力に応じて自身が伸縮することによって、この外力の悪影響を受けて破損することがない。
【００２０】
また、弾性部がＶ字状をなしており、弾性部の一方の接触片が２枚の壁面造作材の一方の小口面に接し、弾性部の他方の接触片が２枚の壁面造作材の他方の小口面に接し、これら２個の接触片が撓んで互いに接離することによって、弾性体として機能する。
【発明の効果】
【００２１】
本発明のコーナー被覆具による場合、弾性部を２枚の板状の壁面造作材の小口面の間に挿入し、２枚の壁面造作材の間隙を被覆部で被覆するため、壁面造作材及び壁を加工することなく容易に取り付けることができる。
しかも、両面テープによる接着が不要であるため、コーナー被覆具は脱落し難い。
更に、コーナー被覆具表面側からの釘打ちが不要であるため、取り付けられたコーナー被覆具の美観を向上させることができる。
【００２２】
また、被覆部及び弾性部は、壁面造作材の伸縮によって発生した外力の悪影響をほとんど受けないため、加えられた外力に起因するコーナー被覆具の破損を抑制することができる。
なお、例えば壁面造作材の小口面に被覆部を接着してもよい。被覆部が接着された場合は、壁面造作材の小口面の間からコーナー被覆具を引き抜く方向に不要な外力が働いた場合でも、コーナー被覆具の脱落を抑制することができる。
【００２３】
更にまた、弾性部が２個の接触片を有するＶ字状をなしているため、例えば２枚の壁面造作材の小口面の間を略完全に塞ぐような形状の弾性部に比べて、弾性部を形成する材料を減少させることができる。
また、各接触片は、小口面の間を略完全に塞ぐような形状の弾性部に比べて薄く形成することができるため、例えば合成樹脂のように、合成ゴムと比べて弾性は小さいが硬質な材料で形成しても、各接触片に可撓性を持たせることができる。この結果、弾性部に弾性を持たせつつ、コーナー被覆具の強度を向上させることができる。
【００２４】
本発明のコーナー構造による場合、本発明のコーナー被覆具を用いるため、コーナー構造の施工が容易であり、しかも、美観が向上されており、更に、コーナー被覆具の脱落及び破損が抑制されて、コーナー構造を長寿命にすることができる。
【図面の簡単な説明】
【００２５】
【図１】本発明の実施の形態１に係るコーナー被覆具が入隅の幅木の間隙を被覆しているコーナー構造の外観を示す斜視図である。
【図２】本発明の実施の形態１に係るコーナー被覆具が備える壁固定部材の正面側の構成を示す斜視図である。
【図３】本発明の実施の形態１に係るコーナー被覆具が備える壁固定部材の背面側の構成を示す斜視図である。
【図４】本発明の実施の形態１に係るコーナー被覆具が備える間隙被覆部材の背面側の構成を示す斜視図である。
【図５】本発明の実施の形態１に係るコーナー被覆具を備えるコーナー構造の構成を示す横断面図である。
【図６】本発明の実施の形態１に係るコーナー被覆具が入隅の回り縁の間隙を被覆しているコーナー構造の外観を示す斜視図である。
【図７】本発明の実施の形態２に係るコーナー被覆具が出隅の幅木の間隙を被覆しているコーナー構造の外観を示す斜視図である。
【図８】本発明の実施の形態２に係るコーナー被覆具が備える壁固定部材の正面側の構成を示す斜視図である。
【図９】本発明の実施の形態２に係るコーナー被覆具が備える壁固定部材の背面側の構成を示す斜視図である。
【図１０】本発明の実施の形態２に係るコーナー被覆具が備える間隙被覆部材の背面側の構成を示す斜視図である。
【図１１】本発明の実施の形態２に係るコーナー被覆具を備えるコーナー構造の構成を示す横断面図である。
【図１２】本発明の実施の形態２に係るコーナー被覆具が出隅の回り縁の間隙を被覆しているコーナー構造の外観を示す斜視図である。
【図１３】本発明の実施の形態３に係るコーナー被覆具が出隅の幅木の間隙を被覆しているコーナー構造の外観を示す斜視図である。
【図１４】本発明の実施の形態３に係るコーナー被覆具の背面側の構成を示す斜視図である。
【図１５】本発明の実施の形態３に係るコーナー被覆具が、幅木が収縮して間隙が拡大してもこの間隙を被覆し続けることを説明する平面図である。
【発明を実施するための形態】
【００２６】
以下、本発明を、その実施の形態を示す図面に基づいて詳述する。
【００２７】
実施の形態  １．
図１は、本発明の実施の形態１に係るコーナー被覆具が入隅の幅木の間隙を被覆しているコーナー構造の外観を示す斜視図であり、このコーナー被覆具が備える間隙被覆部材の正面側の構成を示す斜視図を含んでいる。
図２及び図３は、このコーナー被覆具が備える壁固定部材の正面側及び背面側の構成を夫々示す斜視図であり、図４は、このコーナー被覆具が備える間隙被覆部材の背面側の構成を示す斜視図である。
更に図５は、このコーナー構造の構成を示す横断面図である。
【００２８】
本実施の形態においては、図１及び図５に示すように、室内の２面の壁Ｗ１，Ｗ２が略直交している入隅に取り付けられている２枚の壁面造作材である幅木Ｂ１，Ｂ２を例示する。幅木Ｂ１は板状の木質部材を用いてなり、床Ｆに沿って配され、壁Ｗ１に釘打ち、接着等で固定されており、幅木Ｂ１の小口面は壁Ｗ２に対面して離隔配置されている。幅木Ｂ１と同様に、幅木Ｂ２は壁Ｗ２に固定されており、幅木Ｂ２の小口面は壁Ｗ１に対面して離隔配置されている。
幅木Ｂ１，Ｂ２夫々の正面には、装飾用の溝Ｄ１，Ｄ２が横方向に形成してある。
【００２９】
図中１はコーナー被覆具であり、コーナー被覆具１は、各合成樹脂製の２個の部材（具体的には壁固定部材１１及び間隙被覆部材１２）で構成されている。コーナー被覆具１は、壁固定部材１１が壁Ｗ１，Ｗ２に固定され、間隙被覆部材１２が壁固定部材１１に取り付けられた状態で幅木Ｂ１，Ｂ２の間隙を被覆することによって、幅木Ｂ１，Ｂ２の間隙を被覆している。
【００３０】
壁固定部材１１は、例えば合成樹脂を用いた射出成型によって製造され、図２、図３及び図５に示すように、三角柱部１１４と入隅用屈曲板状部１１５とが一体に形成されている。
入隅用屈曲板状部１１５は、入隅の壁Ｗ１，Ｗ２の形状に沿って平面視Ｌ字状に屈曲しており、Ｌ字の屈曲部内側に、突出部１１１と、平面視三角形状の４枚の板状の補強部１１３，１１３，…とが一体に形成されている。
【００３１】
突出部１１１は互いに対面して離隔配置されている各縦長の矩形板状の突出片１１ａ，１１ｂを有し、この突出片１１ａ，１１ｂ間に、縦長のスリット１１２が形成されている。突出片１１ａ，１１ｂの縦長さは入隅用屈曲板状部１１５の縦長さに略等しく、スリット１１２には後述する突出部１２１が嵌合されるため、突出片１１ａ，１１ｂの離隔距離及び突出長さ、即ちスリット１１２の幅及び深さは、突出部１２１を嵌合するために必要な値に設計される。
【００３２】
補強部１１３，１１３，…は、突出片１１ａ，１１ｂ夫々の外面と入隅用屈曲板状部１１５の正面との間に、２枚の補強部１１３，１１３が縦方向に離隔配置されて一体に形成されることによって、突出片１１ａ，１１ｂ夫々の不要な変形、損傷等を抑制している。この結果、補強部１１３，１１３，…は、スリット１１２が形成されているため変形、損傷等が生じ易い突出部１１１を補強している。
【００３３】
三角柱部１１４は、２側面が入隅の壁Ｗ１，Ｗ２の形状に対応し、三角柱部１１４の一端部が、入隅用屈曲板状部１１５の縦方向一端部の屈曲部に一体に設けられている。
三角柱部１１４には、三角柱部１１４の入隅の壁Ｗ１，Ｗ２の形状に対応する２側面以外の１側面からこの１側面に対向する頂点に亘って貫通している入隅用縦長孔１１６が形成されている。入隅用縦長孔１１６には、図示しない釘（又はビス）が挿通される。
【００３４】
間隙被覆部材１２は、壁固定部材１１を十分に覆い隠せる寸法及び形状を有し、例えば合成樹脂を用いた射出成型によって製造され、図１、図４及び図５に示すように、入隅用水平被覆部１２４と入隅用鉛直被覆部１２５とが一体に形成されている。
入隅用水平被覆部１２４は、入隅に取り付けられている２枚の幅木Ｂ１，Ｂ２の上端面の形状に対応し、Ｌ字状に連続的に形成されている。
【００３５】
入隅用鉛直被覆部１２５は、入隅に取り付けられている２枚の幅木Ｂ１，Ｂ２の正面の形状に対応し、Ｌ字状に屈曲して連続的に形成されている。入隅用鉛直被覆部１２５の一端部には入隅用水平被覆部１２４が形成してあり、入隅用鉛直被覆部１２５の屈曲部外側には、縦長の矩形板状の突出部１２１と、平面視三角形状の４枚の板状の補強部１２３，１２３，…とが一体に形成されている。
【００３６】
突出部１２１は、スリット１１２に嵌合されるために、壁固定部材１１の突出部１１１に対向すべき部分に配されている。このため、突出部１２１の縦長さはスリット１１２の縦長さに略等しく、突出部１２１の厚みは、スリット１１２の幅と比べて略等しいか、僅かに長い。また、突出部１２１は、入隅用鉛直被覆部１２５の入隅用水平被覆部１２４形成側端部とは逆側の端部から、縦方向中央部に亘って形成されている。
【００３７】
補強部１２３，１２３，…は、突出部１２１の各側面と入隅用鉛直被覆部１２５の背面との間に、２枚の補強部１２３，１２３が縦方向に離隔配置されて一体に形成されることによって、突出部１２１の不要な変形、損傷等を抑制している。
入隅用鉛直被覆部１２５の正面には、幅木Ｂ１，Ｂ２夫々の装飾用の溝Ｄ１，Ｄ２に対応する装飾用の溝１２ａが横方向に形成されている。このため、入隅用鉛直被覆部１２５の背面には、溝Ｄ１，Ｄ２に嵌入する凸条部１２ｂが突設されている。この凸条部１２ｂは、突出部１２１と入隅用水平被覆部１２４との間に配されている。
【００３８】
次に、図１〜図５を参照して、入隅に取り付けられている２枚の幅木Ｂ１，Ｂ２に対してコーナー被覆具１を取り付ける手順を説明する。
コーナー被覆具１を取り付ける作業者は、まず、壁固定部材１１を、入隅用屈曲板状部１１５を下側、三角柱部１１４を上側にして、入隅の壁Ｗ１，Ｗ２に相対し、次に、壁固定部材１１の背面、即ち入隅用屈曲板状部１１５の背面（つまりＬ字の屈曲部の外側）と三角柱部１１４の前記２側面とを壁Ｗ１，Ｗ２に沿わせつつ入隅用屈曲板状部１１５の縦方向一端部（この場合は下端部）を床Ｆに当接させる。
【００３９】
このように、入隅用屈曲板状部１１５と三角柱部１１４とを入隅の壁Ｗ１，Ｗ２及び床Ｆに合わせることによって、壁固定部材１１の位置決めが容易となる。しかも、入隅用屈曲板状部１１５及び三角柱部１１４夫々と入隅の壁Ｗ１，Ｗ２との間に大きな空隙が生じないため、壁固定部材１１の安定性が向上する。このとき、入隅用縦長孔１１６は作業者の略真正面に位置する。
【００４０】
以上のようにして壁固定部材１１を位置決めしてから、作業者は、三角柱部１１４の入隅用縦長孔１１６に図示しない釘を挿通させて、三角柱部１１４、延いては壁固定部材１１を壁Ｗ１，Ｗ２に釘打ち固定する。ここで、入隅用縦長孔１１６は、釘を挿入する縦方向の位置、角度等の制限が緩い。しかも、壁固定部材１１は、入隅用縦長孔１１６の両側部に、作業者の手、工具等を阻害するような部分（例えば入隅用屈曲板状部１１５のＬ字の両側部のような部分）が存在しない。このため、釘打ち作業は簡易である。
【００４１】
次いで、作業者は、間隙被覆部材１２を、入隅用水平被覆部１２４を上側、入隅用鉛直被覆部１２５を下側にし、更に、間隙被覆部材１２の突出部１２１を、壁固定部材１１のスリット１１２に上方から挿入する。このことによって、突出部１２１はスリット１１２に嵌合され、延いては、間隙被覆部材１２が壁固定部材１１に固定される。また、間隙被覆部材１２を壁固定部材１１に固定するときに、間隙被覆部材１２の正面の溝１２ａを幅木Ｂ１，Ｂ２の溝Ｄ１，Ｄ２に合わせるべく、間隙被覆部材１２の背面の凸条部１２ｂを溝Ｄ１，Ｄ２に嵌合する。このとき、入隅用水平被覆部１２４は幅木Ｂ１，Ｂ２の上端面同士の間隙を被覆し、入隅用鉛直被覆部１２５は幅木Ｂ１，Ｂ２の正面同士の間隙を被覆して、壁固定部材１１は間隙被覆部材１２によって覆い隠される。
【００４２】
スリット１１２は縦長であるため、スリット１１２に対して突出部１２１を嵌め入れる位置、角度等の制限が緩い。即ち、このような取付作業は簡易である。
また、スリット１１２に突出部１２１を嵌合しながら、間隙被覆部材１２の縦方向の取付位置の調整が可能であるため、特に、溝１２ａと溝Ｄ１，Ｄ２とが合わせ易い。
【００４３】
以上のようなコーナー被覆具１は、間隙被覆部材１２によって隠されるため使用者から見えない壁固定部材１１を壁Ｗ１，Ｗ２に直接的に釘打ち固定し、使用者から見える間隙被覆部材１２を、釘打ち、ネジ留め等によらず、壁固定部材１１に対して嵌合固定することによって間接的に壁Ｗ１，Ｗ２に固定する。このため、コーナー被覆具１は、幅木Ｂ１，Ｂ２の間隙を確実に被覆しつつ、自身の美観、延いてはコーナー構造の美観を向上し、更に、幅木Ｂ１，Ｂ２及び／又は壁Ｗ１，Ｗ２の加工を必要とせず、取付作業が簡易である。
【００４４】
また、コーナー被覆具１は、幅木Ｂ１，Ｂ２に対する接着、釘打ち、ビス留め等が不要であるため、たとえ幅木Ｂ１，Ｂ２が伸縮しても、コーナー被覆具１の壁固定部材１１及び間隙被覆部材１２夫々が、幅木Ｂ１，Ｂ２の伸縮によって発生した外力の悪影響を受けて脱落、破損等を生じることがない。
【００４５】
図６は、本発明の実施の形態１に係るコーナー被覆具が入隅の回り縁の間隙を被覆しているコーナー構造の外観を示す斜視図である。
ここでは、室内の２面の壁Ｗ１，Ｗ２が略直交している入隅に取り付けられている２枚の壁面造作材である回り縁Ｅ１，Ｅ２を例示する。回り縁Ｅ１は板状の木質部材を用いてなり、天井Ｃに沿って配され、壁Ｗ１に釘打ち、接着等で固定されている。回り縁Ｅ１と同様に、回り縁Ｅ２は壁Ｗ２に固定されている。回り縁Ｅ１，Ｅ２の寸法、配置等は、幅木Ｂ１，Ｂ２の寸法、配置等に対応している。
【００４６】
図中１はコーナー被覆具であり、コーナー被覆具１は、図１に示した状態とは天地を逆転させた状態で、回り縁Ｅ１，Ｅ２の間隙を被覆している。つまり、幅木Ｂ１，Ｂ２と回り縁Ｅ１，Ｅ２とでコーナー被覆具１が共通化されている。
回り縁Ｅ１，Ｅ２の間隙を被覆すべくコーナー被覆具１を壁Ｗ１，Ｗ２に取り付ける場合、作業者は、入隅用屈曲板状部１１５を上側、三角柱部１１４を下側にして、入隅用縦長孔１１６を利用し壁固定部材１１を壁Ｗ１，Ｗ２に釘打ち固定する。
【００４７】
次いで、作業者は、間隙被覆部材１２を、入隅用水平被覆部１２４を下側、入隅用鉛直被覆部１２５を上側にし、更に、間隙被覆部材１２の突出部１２１を、壁固定部材１１のスリット１１２に下方から挿入する。このことによって、突出部１２１はスリット１１２に嵌合され、延いては、間隙被覆部材１２が壁固定部材１１に固定される。
【００４８】
なお、本実施の形態のコーナー被覆具１は、幅木Ｂ１，Ｂ２の間隙を被覆する場合と同様にして、入隅に取り付けられている２枚の壁面造作材である見切り材の間隙を被覆することが可能である。ただし、この見切り材は、使用者の目線より低い位置に配されている。使用者の目線より高い位置に配されている２枚の見切り材の間隙を被覆する場合、コーナー被覆具１は、回り縁Ｅ１，Ｅ２の間隙を被覆する場合と同様にして壁Ｗ１，Ｗ２に取り付けられる。
【００４９】
実施の形態  ２．
図７は、本発明の実施の形態２に係るコーナー被覆具が出隅の幅木の間隙を被覆しているコーナー構造の外観を示す斜視図であり、このコーナー被覆具が備える間隙被覆部材の正面側の構成を示す斜視図を含んでいる。
図８及び図９は、このコーナー被覆具が備える壁固定部材の正面側及び背面側の構成を夫々示す斜視図であり、図１０は、このコーナー被覆具が備える間隙被覆部材の背面側の構成を示す斜視図である。
更に図１１は、このコーナー構造の構成を示す横断面図である。
【００５０】
本実施の形態においては、図７及び図１１に示すように、室内の２面の壁Ｗ３，Ｗ４が略直交している出隅に取り付けられている２枚の幅木Ｂ３，Ｂ４を例示する。幅木Ｂ３は板状の木質部材を用いてなり、床Ｆに沿って配され、壁Ｗ３に釘打ち、接着等で固定されており、幅木Ｂ３の小口面は壁Ｗ４に対面して離隔配置されている。幅木Ｂ３と同様に、幅木Ｂ４は壁Ｗ４に固定されており、幅木Ｂ４の小口面は壁Ｗ３に対面して離隔配置されている。
幅木Ｂ３，Ｂ４夫々の正面には、装飾用の溝Ｄ３，Ｄ４が横方向に形成してある。
【００５１】
図中２はコーナー被覆具であり、コーナー被覆具２は、各合成樹脂製の２個の部材（具体的には壁固定部材２１及び間隙被覆部材２２）で構成されている。コーナー被覆具２は、壁固定部材２１が壁Ｗ３，Ｗ４に固定され、間隙被覆部材２２が壁固定部材２１に取り付けられた状態で幅木Ｂ３，Ｂ４の間隙を被覆することによって、幅木Ｂ３，Ｂ４の間隙を被覆している。
【００５２】
壁固定部材２１は、例えば合成樹脂を用いた射出成型によって製造され、図８、図９及び図１１に示すように、出隅用屈曲板状部２１４を有する。
出隅用屈曲板状部２１４は、出隅の壁Ｗ３，Ｗ４の形状に沿って平面視Ｌ字状に屈曲しており、出隅用屈曲板状部２１４のＬ字の屈曲部を貫通して、出隅用縦長孔２１６が形成されている。出隅用縦長孔２１６には、図示しない釘（又はビス）が挿通される。また、出隅用屈曲板状部２１４は、Ｌ字の屈曲部外側に、突出部２１１と、平面視三角形状の４枚の板状の補強部２１３，２１３，…とが一体に形成されている。
【００５３】
ここで、突出部２１１は出隅用屈曲板状部２１４の縦方向中央部から一側部に亘って形成され、出隅用縦長孔２１６は、突出部２１１と他側部との間に形成されている。
突出部２１１は互いに対面して離隔配置されている各縦長の矩形板状の突出片２１ａ，２１ｂを有し、この突出片２１ａ，２１ｂ間に、縦長のスリット２１２が形成されている。スリット２１２には、後述する突出部２２１が嵌合されるため、突出片２１ａ，２１ｂの離隔距離及び突出長さ、即ちスリット２１２の幅及び深さは、突出部２２１を嵌合するために必要な値に設計される。
【００５４】
補強部２１３，２１３，…は、突出片２１ａ，２１ｂ夫々の外面と出隅用屈曲板状部２１４の背面との間に、２枚の補強部２１３，２１３が縦方向に離隔配置されて一体に形成されることによって、突出片２１ａ，２１ｂ夫々の不要な変形、損傷等を抑制している。この結果、補強部２１３，２１３，…は、スリット２１２が形成されているため変形、損傷等が生じ易い突出部２１１を補強している。
【００５５】
間隙被覆部材２２は、壁固定部材２１を十分に覆い隠せる寸法及び形状を有し、例えば合成樹脂を用いた射出成型によって製造され、図７、図１０及び図１１に示すように、出隅用水平被覆部２２４と出隅用鉛直被覆部２２５とが一体に形成されている。
出隅用水平被覆部２２４は、出隅に取り付けられている２枚の幅木Ｂ３，Ｂ４の上端面の形状に対応し、Ｌ字状に連続的に形成されている。
【００５６】
出隅用鉛直被覆部２２５は、出隅に取り付けられている２枚の幅木Ｂ３，Ｂ４の正面の形状に対応し、Ｌ字状に屈曲して連続的に形成されている。出隅用鉛直被覆部２２５の一端部には出隅用水平被覆部２２４が形成してあり、出隅用鉛直被覆部２２５の屈曲部内側には、縦長の矩形板状の突出部２２１と、平面視三角形状の４枚の板状の補強部２２３，２２３，…とが一体に形成されている。
【００５７】
突出部２２１は、スリット２１２に嵌合されるために、壁固定部材２１の突出部１１２に対向すべき部分に配されている。このため、突出部２２１の縦長さはスリット２１２の縦長さに略等しく、突出部２２１の厚みは、スリット２１２の幅と比べて略等しいか、僅かに長い。また、突出部２２１は、出隅用鉛直被覆部２２５の出隅用水平被覆部２２４形成側端部とは逆側の端部から、縦方向中央部に亘って形成されている。
【００５８】
補強部２２３，２２３，…は、突出部２２１の各側面と出隅用鉛直被覆部２２５の背面との間に、２枚の補強部２２３，２２３が縦方向に離隔配置されて一体に形成されることによって、突出部２２１の不要な変形、損傷等を抑制している。
出隅用鉛直被覆部２２５の正面には、幅木Ｂ３，Ｂ４夫々の装飾用の溝Ｄ３，Ｄ４に対応する装飾用の溝２２ａが横方向に形成されている。このため、出隅用鉛直被覆部２２５の背面には、溝Ｄ３，Ｄ４に嵌入する凸条部２２ｂが突設されている。この凸条部２２ｂは、突出部２２１と出隅用水平被覆部２２４との間に配されている。
【００５９】
次に、図７〜図１１を参照して、出隅に取り付けられている２枚の幅木Ｂ３，Ｂ４に対してコーナー被覆具２を取り付ける手順を説明する。
コーナー被覆具２を取り付ける作業者は、まず、壁固定部材２１を、スリット２１２形成側を下側、出隅用縦長孔２１６形成側を上側にして、出隅の壁Ｗ３，Ｗ４に相対し、次に、壁固定部材２１の背面、即ち出隅用屈曲板状部２１４の背面（つまりＬ字の屈曲部の内側）を壁Ｗ３，Ｗ４に沿わせつつ出隅用屈曲板状部２１４の縦方向一端部（この場合は下端部）を床Ｆに当接させる。
【００６０】
このように、出隅用屈曲板状部２１４を出隅の壁Ｗ３，Ｗ４及び床Ｆに合わせることによって、壁固定部材２１の位置決めが容易となる。しかも、出隅用屈曲板状部２１４と出隅の壁Ｗ３，Ｗ４との間に大きな空隙が生じないため、壁固定部材２１の安定性が向上する。このとき、出隅用縦長孔２１６は作業者の略真正面に位置する。
以上のようにして壁固定部材２１を位置決めしてから、作業者は、出隅用縦長孔２１６に図示しない釘を挿通させて、壁固定部材２１を壁Ｗ３，Ｗ４に釘打ち固定する。ここで、出隅用縦長孔２１６は、釘を挿入する縦方向の位置、角度等の制限が緩い。このため、釘打ち作業は簡易である。
【００６１】
次いで、作業者は、間隙被覆部材２２を、出隅用水平被覆部２２４を上側、出隅用鉛直被覆部２２５を下側にし、更に、間隙被覆部材２２の突出部２２１を、壁固定部材２１のスリット２１２に上方から挿入する。このことによって、突出部２２１はスリット２１２に嵌合され、延いては、間隙被覆部材２２が壁固定部材２１に固定される。また、間隙被覆部材２２を壁固定部材２１に固定するときに、間隙被覆部材２２の正面の溝２２ａを幅木Ｂ３，Ｂ４の溝Ｄ３，Ｄ４に合わせるべく、間隙被覆部材２２の背面の凸条部２２ｂを溝Ｄ３，Ｄ４に嵌合する。このとき、出隅用水平被覆部２２４は幅木Ｂ３，Ｂ４の上端面同士の間隙を被覆し、出隅用鉛直被覆部２２５は幅木Ｂ３，Ｂ４の正面同士の間隙を被覆して、壁固定部材２１は間隙被覆部材２２によって覆い隠される。
【００６２】
スリット２１２は縦長であるため、スリット２１２に対して突出部２２１を嵌め入れる位置、角度等の制限が緩い。即ち、このような取付作業は簡易である。
また、スリット２１２に突出部２２１を嵌合しながら、間隙被覆部材２２の縦方向の取付位置の調整が可能であるため、特に、溝２２ａと溝Ｄ３，Ｄ４とが合わせ易い。
その他、実施の形態１に対応する部分には同一符号を付してそれらの説明を省略する。
【００６３】
以上のようなコーナー被覆具２は、間隙被覆部材２２によって隠されるため使用者から見えない壁固定部材２１を壁Ｗ３，Ｗ４に直接的に釘打ち固定し、使用者から見える間隙被覆部材２２を、釘打ち、ネジ留め等によらず、壁固定部材２１に対して嵌合固定することによって間接的に壁Ｗ３，Ｗ４に固定する。このため、コーナー被覆具２は、幅木Ｂ３，Ｂ４の間隙を確実に被覆しつつ、自身の美観、延いてはコーナー構造の美観を向上し、更に、幅木Ｂ３，Ｂ４及び／又は壁Ｗ３，Ｗ４の加工を必要とせず、取付作業が簡易である。
【００６４】
また、コーナー被覆具２は、幅木Ｂ３，Ｂ４に対する接着、釘打ち、ビス留め等が不要であるため、たとえ幅木Ｂ３，Ｂ４が伸縮しても、コーナー被覆具２の壁固定部材２１及び間隙被覆部材２２夫々が、幅木Ｂ３，Ｂ４の伸縮によって発生した外力の悪影響を受けて脱落、破損等を生じることがない。
【００６５】
図１２は、本発明の実施の形態２に係るコーナー被覆具が出隅の回り縁の間隙を被覆しているコーナー構造の外観を示す斜視図である。
ここでは、室内の２面の壁Ｗ３，Ｗ４が略直交している出隅に取り付けられている２枚の回り縁Ｅ３，Ｅ４を例示する。回り縁Ｅ３は板状の木質部材を用いてなり、天井Ｃに沿って配され、壁Ｗ３に釘打ち、接着等で固定されている。回り縁Ｅ３と同様に、回り縁Ｅ４は壁Ｗ４に固定されている。回り縁Ｅ３，Ｅ４の寸法、配置等は、幅木Ｂ３，Ｂ４の寸法、配置等に対応している。
【００６６】
図中２はコーナー被覆具であり、コーナー被覆具２は、図７に示した状態とは天地を逆転させた状態で、回り縁Ｅ３，Ｅ４の間隙を被覆している。つまり、幅木Ｂ３，Ｂ４と回り縁Ｅ３，Ｅ４とでコーナー被覆具２が共通化されている。
回り縁Ｅ３，Ｅ４の間隙を被覆すべくコーナー被覆具２を壁Ｗ３，Ｗ４に取り付ける場合、作業者は、スリット２１２形成側を上側、出隅用縦長孔２１６形成側を下側にして、出隅用縦長孔２１６を利用し壁固定部材２１を壁Ｗ３，Ｗ４に釘打ち固定する。
【００６７】
次いで、作業者は、間隙被覆部材２２を、出隅用水平被覆部２２４を下側、出隅用鉛直被覆部２２５を上側にし、更に、間隙被覆部材２２の突出部２２１を、壁固定部材２１のスリット２１２に下方から挿入する。このことによって、突出部２２１はスリット２１２に嵌合され、延いては、間隙被覆部材２２が壁固定部材２１に固定される。
【００６８】
なお、本実施の形態のコーナー被覆具２は、幅木Ｂ３，Ｂ４の間隙を被覆する場合と同様にして、出隅に取り付けられている２枚の見切り材の間隙を被覆することが可能である。ただし、この見切り材は、使用者の目線より低い位置に配されている。使用者の目線より高い位置に配されている２枚の見切り材の間隙を被覆する場合、コーナー被覆具２は、回り縁Ｅ３，Ｅ４の間隙を被覆する場合と同様にして壁Ｗ３，Ｗ４に取り付けられる。
【００６９】
実施の形態  ３．
図１３は、本発明の実施の形態３に係るコーナー被覆具が出隅の幅木の間隙を被覆しているコーナー構造の外観を示す斜視図であり、このコーナー被覆具の正面側の構成を示す斜視図を含んでいる。また、図１４は、このコーナー被覆具の背面側の構成を示す斜視図である。
更に、図１５は、このコーナー被覆具が、幅木が収縮して間隙が拡大してもこの間隙を被覆し続けることを説明する平面図である。
【００７０】
本実施の形態においては、図１３及び図１５に示すように、室内の２面の壁Ｗ３，Ｗ４が略直交している出隅に取り付けられている２枚の幅木Ｂ５，Ｂ６を例示する。幅木Ｂ５，Ｂ６は実施の形態２の幅木Ｂ３，Ｂ４と略同様であるが、装飾用の溝が形成されていない。
【００７１】
図中３はコーナー被覆具であり、コーナー被覆具３は、例えば合成樹脂を用いた射出成型によって製造された１個の部材で構成されており、出隅に取り付けられている２枚の幅木Ｂ５，Ｂ６の間隙を被覆する。図１３〜図１５に示すように、コーナー被覆具３は、被覆部３１と弾性部３２とを一体に備え、壁Ｗ３，Ｗ４に取り付けられている幅木Ｂ５，Ｂ６の小口面の間に弾性部３２が挿入され、弾性復元力によって固定された状態で、被覆部３１が幅木Ｂ５，Ｂ６の間隙を被覆している。
【００７２】
被覆部３１は、水平被覆部３１１と鉛直被覆部３１２とが一体に形成されている。水平被覆部３１１は、出隅に取り付けられている２枚の幅木Ｂ５，Ｂ６の上端面の形状に対応し、Ｌ字状に連続的に形成されている。鉛直被覆部３１２は、出隅に取り付けられている２枚の幅木Ｂ５，Ｂ６の正面の形状に対応し、Ｌ字状に屈曲して連続的に形成されている。また、鉛直被覆部３１２の縦方向一端部に、水平被覆部３１１が形成されている。
弾性部３２は、鉛直被覆部３１２の屈曲部内側に突設されており、幅木Ｂ５の小口面に接する縦長板状の接触片３２ａと幅木Ｂ６の小口面に接する縦長板状の接触片３２ｂとを有するＶ字状をなしている。
【００７３】
接触片３２ａ，３２ｂは、接触片３２ａ，３２ｂ同士が離隔している（即ち接触片３２ａ，３２ｂが開いている）状態が安定した形状であり、接触片３２ａ，３２ｂ夫々を撓ませて接触片３２ａ，３２ｂ同士を接触させる（即ち接触片３２ａ，３２ｂを閉じる）ことによって、接触片３２ａ，３２ｂの互いに離隔する方向（即ち開放方向）への弾性復元力が生じる。
【００７４】
次に、出隅に取り付けられている２枚の幅木Ｂ５，Ｂ６に対してコーナー被覆具３を取り付ける手順を説明する。
コーナー被覆具３を取り付ける作業者は、まず、水平被覆部３１１を上側、鉛直被覆部３１２を下側にした被覆部３１を手前側にし、弾性部３２を奥側にして、出隅の壁Ｗ３，Ｗ４に相対する。
【００７５】
次に、作業者は、図１５（ａ）に示すように、接触片３２ａ，３２ｂを閉じた状態で、弾性部３２を幅木Ｂ５，Ｂ６の小口面同士の間隙に挿入する。更に、水平被覆部３１１で幅木Ｂ５，Ｂ６の上面を覆い、鉛直被覆部３１２の縦方向一端部（この場合は下端部）を床Ｆに当接させることによって、コーナー被覆具３が幅木Ｂ５，Ｂ６の間隙を覆う。このとき、弾性部３２が幅木Ｂ５，Ｂ６の小口面間で固定されるため、コーナー被覆具３は幅木Ｂ５，Ｂ６に対して固定される。
【００７６】
ここで、図１５（ｂ）に示すように、幅木Ｂ５と幅木Ｂ６とが例えば湿度の変化によって収縮を生じて、壁Ｗ３，Ｗ４に沿い、図中矢符方向に互いに離隔した場合、弾性復元力によって、夫々が幅木Ｂ５，Ｂ６に接触したまま接触片３２ａ，３２ｂが開く。このとき、弾性部３２が幅木Ｂ５，Ｂ６の小口面間で固定され続けため、コーナー被覆具３は幅木Ｂ５，Ｂ６に対して固定され続け、脱落することはない。
また、幅木Ｂ５，Ｂ６の伸縮によって発生した外力は、接触片３２ａ，３２ｂの開閉によって、コーナー被覆具３に対し直接的な悪影響を及ぼさないため、この外力を受けたコーナー被覆具３が破損することはない。
【００７７】
その他、実施の形態１，２に対応する部分には同一符号を付してそれらの説明を省略する。
【００７８】
以上のようなコーナー被覆具３は、幅木Ｂ５，Ｂ６の小口面同士の間に弾性部３２を挿入し、幅木Ｂ５，Ｂ６の間隙を被覆部３１で被覆することによって、釘打ち、ネジ留め等によらずに幅木Ｂ５，Ｂ６に固定される。このため、コーナー被覆具３は、幅木Ｂ５，Ｂ６の間隙を確実に被覆しつつ、自身の美観、延いてはコーナー構造の美観を向上し、更に、幅木Ｂ５，Ｂ６及び／又は壁Ｗ３，Ｗ４の加工を必要とせず、取付作業が簡易である。
また、コーナー被覆具３は、幅木Ｂ５，Ｂ６に対する接着が不要であるため、幅木Ｂ３，Ｂ４の伸縮によって発生した外力の悪影響を受けて脱落を生じることがない。
【００７９】
なお、弾性部３２の形状はＶ字状に限定されるものではない。また、コーナー被覆具３を合成ゴムで形成し、鉛直被覆部３１２の背面に、幅木Ｂ５，Ｂ６の小口面同士の離隔距離よりも大きな寸法を有する筒状の弾性部を突設してもよい。
【符号の説明】
【００８０】
１，２，３  コーナー被覆具
１１，２１  壁固定部材
１１１，１２１，２１１，２２１  突出部
１１２，２１２  スリット
１１３，１２３，２１３，２２３  補強部
１２，２２  間隙被覆部材
１１４  三角柱部
１１５  入隅用屈曲板状部
１１６  入隅用縦長孔
２１４  出隅用屈曲板状部
２１６  出隅用縦長孔
３１  被覆部
３２  弾性部
３２ａ，３２ｂ  接触片
Ｂ１，Ｂ２，Ｂ３，Ｂ４  幅木（壁面造作材）
Ｅ１，Ｅ２，Ｅ３，Ｅ４  回り縁（壁面造作材）
Ｗ１，Ｗ２，Ｗ３，Ｗ４  壁
【図１】
0005607674.tif 000002
【図２】
0005607674.tif 000003
【図３】
0005607674.tif 000004
【図４】
0005607674.tif 000005
【図５】
0005607674.tif 000006
【図６】
0005607674.tif 000007
【図７】
0005607674.tif 000008
【図８】
0005607674.tif 000009
【図９】
0005607674.tif 000010
【図１０】
0005607674.tif 000011
【図１１】
0005607674.tif 000012
【図１２】
0005607674.tif 000013
【図１３】
0005607674.tif 000014
【図１４】
0005607674.tif 000015
【図１５】
0005607674.tif 000016